(57)【要約】【課題】好酸性の菌の繁殖を抑制しながらドレンの排水のｐＨ値を所定の範囲内に調整することができる中和装置およびそれを備えた潜熱回収式熱源機を提供する。【解決手段】中和装置６は、本体部６ａと、仕切り部材６ｂと、第１の中和剤６１と、第２の中和剤６２とを備えている。第１の中和剤６１は、流入部ＦＩの下方に配置され、流入部ＦＩ側において仕切り部材６ｂ上に保持され、かつｐＨがアルカリ性である。第２の中和剤６２は、仕切り部材６ｂよりも流出部ＦＯ側に配置され、かつ第１の中和剤６１よりもｐＨの値が小さい。第１の中和剤６１は、第２の中和剤６２よりも上方の高さ位置に配置され、かつドレンが内部空間ＩＳに貯留された状態においてドレンの液面の高さよりも上方の高さ位置に配置されている。【選択図】図２
2016203030.tif 000002
【特許請求の範囲】
【請求項１】
ドレンを中和するための中和装置であって、
内部空間と、前記内部空間に前記ドレンを流入させる流入部と、前記内部空間から前記ドレンを流出させる流出部とを有する本体部と、
前記内部空間を前記流入部側と前記流出部側とに仕切り、かつ前記流入部側から前記流出部側に貫通する開口を有する仕切り部材と、
前記流入部の下方に配置され、前記流入部側において前記仕切り部材上に保持され、かつｐＨがアルカリ性の第１の中和剤と、
前記仕切り部材よりも前記流出部側に配置され、かつ前記第１の中和剤よりもｐＨの値が小さい第２の中和剤とを備え、
前記第１の中和剤は、前記第２の中和剤よりも上方の高さ位置に配置され、かつ前記ドレンが前記内部空間に貯留された状態において前記ドレンの液面の高さよりも上方の高さ位置に配置されている、中和装置。
【請求項２】
前記第１の中和剤は、前記流入部の直下に配置されている、請求項１に記載の中和装置。
【請求項３】
前記本体部は、
前記流入部が設けられた一方端と、
前記一方端に対向する他方端と、
前記流入部から前記他方端に向かって延びる第１の部分と、
前記他方端側で前記第１の部分と第１の接続部において接続され、前記第１の接続部から前記一方端に向かって延びる第２の部分と、
前記一方端側で前記第２の部分と第２の接続部において接続され、前記第２の接続部から前記他方端に向かって延びる第３の部分とを含み、
前記第３の部分には前記流出部が設けられており、
前記第１の中和剤は、前記第２の接続部の下端よりも上方の高さ位置に配置されている、請求項１または２に記載の中和装置。
【請求項４】
前記第１の中和剤は酸化マグネシウムであり、前記第２の中和剤は炭酸カルシウムである、請求項１〜３のいずれか１項に記載の中和装置。
【請求項５】
請求項１〜４のいずれか１項に記載の中和装置を備えた、潜熱回収式熱源機。
【発明の詳細な説明】
【技術分野】
【０００１】
本発明は、中和装置および潜熱回収式熱源機に関し、特に、ドレンを中和するための中和装置およびそれを備えた潜熱回収式熱源機に関するものである。
【背景技術】
【０００２】
熱源機の一例として、熱効率を高めるために、燃焼排気ガスの顕熱および潜熱（燃焼排気ガス中の水蒸気が保有している潜熱）を回収する熱交換器を備えたものが実用化されている。この潜熱回収可能な熱交換器を用いた場合、燃焼排気ガス中の水蒸気は潜熱を奪われることにより凝縮して結露するため、熱交換器に多量のドレン（結露水）が発生する。燃焼排気ガス中には窒素酸化物などが含まれるため、これがドレンに溶け込んでドレンは酸性となる。この酸性のドレンを中和するために中和剤が用いられている。
【０００３】
この中和剤として主に炭酸カルシウムなどの弱アルカリ性の中和剤が用いられている。酸性のドレンは、中和剤が収容された中和装置に流入して中和剤により中和された後に下水路に排水される。
【０００４】
たとえば、特開２００１−５４７９４号公報（特許文献１）には、中和剤が収容された中和装置が記載されている。この中和装置には、ドレンの流入部から流出部に至る主通路に酸化マグネシウムなどの中和剤を内蔵した第１中和槽が設けられているとともに、主通路から第１中和槽を迂回してバイパス通路が設けられている。また、第１中和槽の下流側には炭酸カルシウムなどの中和剤を内蔵した第２中和槽が設けられている。
【先行技術文献】
【特許文献】
【０００５】
【特許文献１】特開２００１−５４７９４号公報
【発明の概要】
【発明が解決しようとする課題】
【０００６】
ドレンの中和装置への流入に伴って、空気中の微生物などが中和装置に流入する。この微生物として、代表的には、バイオフィルムを形成するスフィンゴナモス属菌、および嵩上げに寄与するクロカビ類、アオカビ類などが挙げられる。この微生物などのうち好酸性の菌などが繁殖することにより、中和剤に目詰まりが発生する場合がある。この場合にはドレンの流れが阻害されるなどの問題が生じる。
【０００７】
アルカリ雰囲気下では好酸性の菌の繁殖は抑制される。他方、ドレンの排水のｐＨ値は排出基準を満たす所定の範囲内であることが必要である。つまり、中和装置には、好酸性の菌の繁殖を抑制しながらドレンの排水のｐＨ値を所定の範囲内に調整するという相反する性能が要求される。
【０００８】
上記公報に記載された中和装置においては、第１中和槽では強アルカリ性の酸化マグネシウムなどによりドレンが過剰に中和されるため、好酸性の菌の繁殖は抑制され得る。他方、第２の中和槽には、第１の中和槽で過剰に中和されたドレンと第１中和槽を迂回したバイパス経路からの酸性のドレンとが混合された所定の中和域のドレンが流入する。この所定の中和域のドレンは強アルカリ性ではないため好酸菌の繁殖は抑制されない。なお、第２の中和槽では、弱アルカリ性の炭酸カルシウムによりドレンが中和されるため、好酸性の菌の繁殖は抑制されない。
【０００９】
本発明は、上記の課題に鑑みてなされたものであり、その目的は、好酸性の菌の繁殖を抑制しながらドレンの排水のｐＨ値を所定の範囲内に調整することができる中和装置およびそれを備えた潜熱回収式熱源機を提供することである。
【課題を解決するための手段】
【００１０】
本発明の中和装置は、ドレンを中和するためのものである。中和装置は、本体部と、仕切り部材と、第１の中和剤と、第２の中和剤とを備えている。本体部は、内部空間と、内部空間にドレンを流入させる流入部と、内部空間からドレンを流出させる流出部とを有する。仕切り部材は、内部空間を流入部側と流出部側とに仕切り、かつ流入部側から流出部側に貫通する開口を有する。第１の中和剤は、流入部の下方に配置され、流入部側において仕切り部材上に保持され、かつｐＨがアルカリ性である。第２の中和剤は、仕切り部材よりも流出部側に配置され、かつ第１の中和剤よりもｐＨの値が小さい。第１の中和剤は、第２の中和剤よりも上方の高さ位置に配置され、かつドレンが内部空間に貯留された状態においてドレンの液面の高さよりも上方の高さ位置に配置されている。
【００１１】
本発明の中和装置によれば、仕切り部材上に保持された第１の中和剤によってドレンがアルカリ化される。このアルカリ化されたドレンが仕切り部材の開口を通って第２の中和剤に流れるため、第２の中和剤での好酸性の菌の繁殖が抑制される。また、第１の中和剤はドレンが内部空間に貯留された状態においてドレンの液面の高さよりも上方の高さ位置に配置されている。したがって、第１の中和剤はドレンに浸漬されないため、第１の中和剤によりアルカリ化されたドレンの量が抑えられる。このため、第２の中和剤によりドレンのｐＨ値を所定の範囲内に調整することができる。
【００１２】
上記の中和装置においては、第１の中和剤は、流入部の直下に配置されている。このため、第１の中和剤により流入部の直下においてドレンがアルカリ化される。したがって、流入部の直下において好酸性の菌の繁殖が抑制される。流入部から好酸性の菌が流入するため、流入部の直下において好酸性の菌の繁殖を抑制することにより好酸性の菌が拡散することを抑制できる。これにより、好酸性の菌の繁殖を効果的に抑制することができる。
【００１３】
上記の中和装置においては、本体部は、一方端と、他方端と、第１の部分と、第２の部分と、第３の部分とを含む。一方端には流入部が設けられている。他方端は一方端に対向する。第１の部分は流入部から他方端に向かって延びる。第２の部分は他方端側で第１の部分と第１の接続部において接続され、第１の接続部から一方端に向かって延びる。第３の部分は、一方端側で第２の部分と第２の接続部において接続され、第２の接続部から他方端に向かって延びる。第３の部分には流出部が設けられている。第１の中和剤は、第２の接続部の下端よりも上方の高さ位置に配置されている。ドレンは第２の接続部の下端まで貯留されるので、第１の中和剤はドレンに浸漬することはない。このため、第１の中和剤によりアルカリ化されたドレンの量を抑えることができる。
【００１４】
上記の中和装置においては、第１の中和剤は酸化マグネシウムであり、第２の中和剤は炭酸カルシウムである。このため、酸化マグネシウムによりドレンをアルカリ化することができる。そして、炭酸カルシウムによりアルカリ化されたドレンのｐＨ値を所定の範囲内に調整することができる。
【００１５】
本発明の潜熱回収式熱源機は、上記の中和装置を備えている。したがって、好酸性の菌の繁殖を抑制しながらドレンの排水のｐＨ値を所定の範囲内に調整することができる中和装置を備えた潜熱回収式熱源機を実現することができる。
【発明の効果】
【００１６】
以上説明したように本発明によれば、好酸性の菌の繁殖を抑制しながらドレンの排水のｐＨ値を所定の範囲内に調整することができる中和装置およびそれを備えた潜熱回収式熱源機を提供することができる。
【図面の簡単な説明】
【００１７】
【図１】本発明の一実施の形態における潜熱回収式熱源機の構成を概略的に示す概略図である。
【図２】本発明の一実施の形態における潜熱回収式熱源機の中和装置の構成を概略的に示す概略図である。
【図３】図２のＰ部を拡大して示す斜視図である。
【図４】本発明の一実施の形態における潜熱回収式熱源機の中和装置においてドレンが中和される様子を概略的に示す概略図である。
【図５】本発明の一実施の形態における潜熱回収式熱源機の中和装置において中和剤が消耗した様子を概略的に示す概略図である。
【発明を実施するための形態】
【００１８】
以下、本発明の実施の形態について図に基づいて説明する。
まず、本発明の一実施の形態における潜熱回収式熱源機の構成について説明する。以下では各方向は熱源機を設置した状態を基準としている。
【００１９】
図１を参照して、本実施の形態における潜熱回収式熱源機１０は、潜熱回収式の熱源機であり、熱源機で発生した酸性のドレンを回収し、排出可能に構成されている。本実施の形態の潜熱回収式熱源機１０は、筐体１と、燃焼装置２と、送風装置３と、一次熱交換器４と、二次熱交換器５と、中和装置６と、コントローラ８と、給湯経路９とを主に有している。
【００２０】
筐体１は、底面（下面）１ａ、天面（上面）１ｂおよび側面１ｃと、図示しない前面および後面を有しており、これらの面によって取り囲まれた空間ＳＰを有している。前面には、燃焼ガスを排気するための排気口ＥＰが設けられている。この空間ＳＰに、燃焼装置２、送風装置３、一次熱交換器４、二次熱交換器５、中和装置６、コントローラ８、給湯経路９が収納されている。
【００２１】
燃焼装置２は、燃焼ガスを供給するためのものである。この燃焼ガスは、一次熱交換器４および二次熱交換器５との間で熱交換を行なうためのものである。燃焼装置２は潜熱回収式熱源機１０の高さ方向の中央部に配置されている。燃焼装置２はたとえばバーナである。
【００２２】
送風装置３は、燃焼装置２に燃焼用の空気を供給するためのものである。送風装置３は、燃焼装置２よりも底面１ａ側（下方側）に配置されている。また、送風装置３は、一次熱交換器４および二次熱交換器５よりも底面１ａ側に配置されている。送風装置３はたとえばファンである。
【００２３】
一次熱交換器４は、燃焼装置２によって供給された燃焼ガスの顕熱を回収するためのものである。二次熱交換器５は、燃焼装置２によって供給された燃焼ガスの潜熱を回収するためのものである。一次熱交換器４と二次熱交換器５とは互いに接続されている。一次熱交換器４は二次熱交換器５の下方側に配置されている。また、一次熱交換器４および二次熱交換器５は、燃焼装置２よりも上面１ｂ側（上方側）に配置されている。一次熱交換器４および二次熱交換器５はそれぞれ被加熱流体を流通可能な伝熱管と、この伝熱管を収容可能なケースとを有している。
【００２４】
一次熱交換器４で熱交換した後の燃焼ガスが二次熱交換器５へ通されることで二次熱交換器５内の水（被加熱流体）が予熱される。この過程で燃焼ガスの温度が６０℃程度まで下がることで、燃焼ガス中に含まれる水分が凝縮して潜熱が回収される。そして、燃焼ガ
スの潜熱が回収されることによってドレンが発生する。また、二次熱交換器５は排気口ＥＰに連通している。
【００２５】
ドレン受けＤＲは、二次熱交換器５の下方に配置されており、二次熱交換器５で生じたドレンを受けるように構成されている。このドレン受けＤＲで受けられたドレンは、排気ガス中の窒素酸化物などが溶け込んでいるため酸性となる。この酸性のドレンのｐＨは約３である。第１のドレン配管ＤＰ１は、ドレン受けＤＲと中和装置６とを接続している。二次熱交換器５で発生した酸性のドレンは、ドレン受けＤＲから第１のドレン配管ＤＰ１を通って中和装置６に送られる。
【００２６】
中和装置６は、潜熱回収式熱源機１０で発生した酸性のドレンを中和するためのものである。中和装置６は燃焼装置２と側面１ｃとの間に配置されている。中和装置６は二次熱交換器５よりも底面１ａ側（下方側）に配置されている。中和装置６に送られた酸性のドレンは中和装置６内で中和される。第２のドレン配管ＤＰ２は中和装置６とドレン排出口ＤＯとを接続している。中和装置６で中和されたドレンは第２のドレン配管ＤＰ２を通ってドレン排出口ＤＯから筐体１外に排出される。
【００２７】
水位検知部７は、中和装置６内におけるドレンの水位を検知可能に構成されている。水位検知部７は、第１の電極７ａと、第２の電極７ｂとを有している。水位検知部７は、第１の電極７ａおよび第２の電極７ｂがドレンに接触して互いに導通することによりドレンを検知可能に構成されている。第１の電極７ａおよび第２の電極７ｂの各々は中和装置６に取り付けられている。
【００２８】
コントローラ８は、第１の電極７ａおよび第２の電極７ｂの各々に電気的に接続されている。コントローラ８は中和装置６内のドレンを検知可能に構成されている。コントローラ８は、第１の電極７ａと第２の電極７ｂとがドレンに接触することにより互いに導通したことを示す電気信号によって中和装置６内のドレンを検知する。
【００２９】
給湯経路９は、一次熱交換器４および二次熱交換器５で燃焼ガスと熱交換された湯水を潜熱回収式熱源機外に供給するためのものである。給湯経路９は、給水配管９ａと、給湯配管９ｂと、入水口ＩＷと、出湯口ＯＷとを有している。給水配管９ａは、入水口ＩＷから二次熱交換器５に被加熱流体である水を給水可能に構成されている。給湯配管９ｂは、一次熱交換器４と出湯口ＯＷとを接続している。給湯配管９ｂは、一次熱交換器４から出湯口ＯＷに一次熱交換器４および二次熱交換器５で温められた温水を給湯可能に構成されている。これにより、入水口ＩＷから給水された水は、二次熱交換器５および一次熱交換器４を通過する際に燃焼ガスによって加熱されて出湯口ＯＷから給湯される。
【００３０】
続いて、図２および図３を参照して、本実施の形態の中和装置６の構成について詳しく説明する。なお、図２では見やすくするため水位検知部７は図示されていない。
【００３１】
中和装置６は、本体部６ａと、仕切り部材６ｂと、第１の中和剤６１と、第２の中和剤６２とを備えている。本体部６ａは、内部空間ＩＳと、内部空間ＩＳにドレンを流入させる流入部ＦＩと、内部空間ＩＳからドレンを流出させる流出部ＦＯとを有している。
【００３２】
中和装置６は、流入部ＦＩより本体部６ａ内に流入し第１の中和剤６１の上方から第１の中和剤６１の表面に沿って下方に流れたドレンが、第２の中和剤６２の表面に沿って流れてから流出部ＦＯより本体部６ａ外に流出するように構成されている。
【００３３】
本体部６ａは、仕切り部材６ｂによって第１の中和部６ａ１と第２の中和部６ａ２とに仕切られている。第１の中和部６ａ１は、第１の中和剤６１を収容可能に構成されている。第２の中和部６ａ２は、第２の中和剤６２を収容可能に構成されている。
【００３４】
本実施の形態では、本体部６ａは、下方に延びてから上方に立ち上がり、さらに下方に延びている。具体的には、本体部６ａは、一方端Ｅ１と、他方端Ｅ２と、第１の部分Ｐ１と、第２の部分Ｐ２と、第３の部分Ｐ３とを有している。一方端Ｅ１には流入部ＦＩが設けられている。一方端Ｅ１は本体部６ａの上側に配置されている。他方端Ｅ２は一方端Ｅ１に対向する。他方端Ｅ２は本体部６ａの下側に配置されている。
【００３５】
第１の部分Ｐ１は流入部ＦＩから他方端Ｅ２に向かって延びている。第１の部分Ｐ１は、一方端Ｅ１から他方端Ｅ２に向かって真下に延びている。第２の部分Ｐ２は他方端Ｅ２側で第１の部分Ｐ１と第１の接続部Ｃ１において接続されている。第２の部分Ｐ２は、第１の接続部Ｃ１から一方端Ｅ１に向かって延びている。第２の部分Ｐ２は、第１の接続部Ｃ１から第３の部分Ｐ３側に斜め上方に延びている。第３の部分Ｐ３は、一方端Ｅ１側で第２の部分Ｐ２と第２の接続部Ｃ２において接続されている。第３の部分Ｐ３は、第２の接続部Ｃ２から他方端Ｅ２に向かって延びている。第３の部分Ｐ３は、第２の接続部Ｃ２から第２の部分Ｐ２側に斜め下方に延びている。第３の部分Ｐ３には流出部ＦＯが設けられている。
【００３６】
仕切り部材６ｂは、内部空間ＩＳを流入部ＦＩ側と流出部ＦＯ側とに仕切るように構成されている。仕切り部材６ｂは流入部ＦＩ側から流出部ＦＯ側に貫通する開口ＯＰを有する。仕切り部材６ｂは開口ＯＰから第１の中和剤６１が脱落しないように構成されている。また、仕切り部材６ｂは第１の中和剤６１の下方への移動を阻止するように構成されている。
【００３７】
仕切り部材６ｂは、たとえばメッシュのフィルター状に構成されていてもよい。より具体的には、仕切り部材６ｂは網などで構成されていてもよい。この網は、第１の部分Ｐ１の全幅に配置されていてもよい。仕切り部材６ｂの開口ＯＰの径は、第１の中和剤６１の径よりも小さい。なお、仕切り部材６ｂの開口ＯＰの径は、開口ＯＰの最大の幅の寸法である。
【００３８】
第１の中和剤６１は第１の中和部６ａ１に収容されている。第１の中和剤６１は、流入部ＦＩの下方に配置されている。第１の中和剤６１は、流入部ＦＩ側において仕切り部材６ｂ上に保持されている。第１の中和剤６１はｐＨがアルカリ性である。このｐＨ（水素イオン指数）は加水分解ｐＨ値である。つまり、第１の中和剤６１は加水分解ｐＨ値が７よりも大きい。本実施の形態では、第１の中和剤６１は加水分解されたときのｐＨ値が強アルカリ性の材料から構成されている。具体的には、第１の中和剤６１には酸化マグネシウムを用いることができる。また、第１の中和剤６１には水酸化マグネシウム、塩基性炭酸マグネシウムも用いることが可能である。
【００３９】
第１の中和剤６１は複数の粒状の材料から構成されていてもよい。複数の粒状の材料の粒径はたとえば５ｍｍ以上１５ｍｍ以下である。この粒径は、各粒の最大の粒径の平均値である。一般的には、ドレンの流量が低いときに好酸性の菌は繁殖し易い。これに対して、本実施の形態では、ドレンの流量が低いときでも好酸性の菌の繁殖を抑制できる。そして、ドレンの流量が低いときには、ドレンが第１の中和剤６１の表面に十分に接触しながら流下するため、第１の中和剤６１の表面積を大きくする必要はない。また、第１の中和剤６１の表面積を小さくする方が第１の中和剤６１の製品寿命を確保する点で望ましい。したがって、複数の粒状の材料の粒径をたとえば５ｍｍ以上１５ｍｍ以下にすることにより、好酸性の菌の繁殖を抑制しながら第１の中和剤６１の製品寿命を確保することができる。
【００４０】
第１の中和剤６１の複数の粒状の材料の粒径は、第２の中和剤６２の複数の粒状の材料の粒径と同等以上の大きさである。第１の中和剤６１は、仕切り部材６ｂ上にたとえば２ｃｍ〜４ｃｍの高さとなるように載置されている。
【００４１】
第１の中和剤６１は、第２の中和剤６２よりも上方の高さ位置に配置されている。第２の中和剤６２は、ドレンが内部空間ＩＳに貯留された状態においてドレンの液面の高さよりも上方の高さ位置に配置されている。このドレンが内部空間ＩＳに貯留された状態とは、ドレンが内部空間ＩＳ内に流入した後にドレンの流れが止まった状態である。第１の中和剤６１は、中和装置６におけるドレンＤの喫水線よりも上方に配置されている。
【００４２】
また、本実施の形態では、第１の中和剤６１は、流入部ＦＩの直下に配置されている。つまり、第１の中和剤６１は、流入部ＦＩのすぐ下に配置されている。また、第１の中和剤６１は流入部ＦＩの真下に配置されている。
【００４３】
また、第１の中和剤６１は、第２の接続部Ｃ２の下端よりも上方の高さ位置に配置されている。本実施の形態では、第１の中和剤６１が載置された仕切り部材６ｂの高さ位置であるＨ１は、第２の接続部Ｃ２の下端の高さ位置Ｈ２よりも上方に配置されている。この高さ位置Ｈ２はドレンＤの喫水線の高さ位置となる。
【００４４】
第２の中和剤６２は第２の中和部６ａ２に収容されている。第２の中和剤６２は、仕切り部材６ｂよりも流出部ＦＯ側に配置されている。第２の中和剤６２は、第１の中和剤６１よりもｐＨの値が小さい。つまり、第２の中和剤６２は第１の中和剤６１よりも加水分解ｐＨ値が小さい。本実施の形態では、第２の中和剤６２は加水分解されたときのｐＨ値が弱アルカリ性の材料から構成されている。具体的には、第２の中和剤には炭酸カルシウムを用いることができる。また、第２の中和剤６２は複数の粒状の材料から構成されていてもよい。
【００４５】
次に、本実施の形態のドレン排出動作について説明する。
図１および図４を参照して、潜熱回収式熱源機１０が運転している場合には、二次熱交換器５で発生しドレン受けＤＲに受けられたドレンＤが第１のドレン配管ＤＰ１を通って中和装置６に供給される。中和装置６に流入する酸性のドレンＤのｐＨは、たとえば約２．７である。
【００４６】
中和装置６においては、ドレン受けＤＲから供給されたドレンＤが流入部ＦＩから本体部６ａ内に流入する。具体的には、ドレンＤは、流入部ＦＩから本体部６ａの第１の中和部６ａ１内に流入する。そして、ドレンＤは第１の中和剤６１の表面に沿って下方に流れる。この際、第１の中和剤６１としての酸化マグネシウムとドレンＤとが接触して反応することによって、ドレンＤがアルカリ化される。第１の中和剤６１は、中和装置６におけるドレンＤの喫水線よりも上方に配置されているため、ドレンＤに浸かることはない。
【００４７】
ドレンＤは第１の中和剤６１の表面に沿って流れ落ちるため、ドレンＤの流量が多いときには、ドレンＤは第１の中和剤６１の表面に十分に接触することができない。したがって、第１の中和剤６１の表面に沿って流れ落ちたドレンＤの全体のｐＨは、たとえば約３〜４となる。このドレンＤは仕切り部材６ｂの開口ＯＰから第２の中和部６ａ２に流れ落ちる。
【００４８】
他方、本体部６ａ内へのドレンＤの流入が止まれば、酸化マグネシウムの表面および粒間に保持されたドレンＤはアルカリ化が進み、最終的にはドレンＤの加水分解ｐＨは約１１に到達する。このアルカリ化されたドレンＤが仕切り部材６ｂの開口ＯＰを通って第２の中和剤６２に滴下すると、このドレンＤが拡散した領域ではｐＨは約１１に近づくことになる。つまり、第２の中和剤６２は流入部ＦＩ側において局所的にｐＨが約１１になる。流入部ＦＩに近いほど微生物が流入しやすいため、第２の中和剤６２の流入部ＦＩ側において好酸性の菌の繁殖を抑制することが効果的である。そして、ｐＨが約１１という様なアルカリ領域では、好酸性の菌などの微生物の繁殖は困難である。このため、好酸性の菌および好酸性の菌によるバイオフィルムにより中和剤が閉塞されることは抑制される。本体部６ａ内へのドレンＤの流入が再開すると、局所的にｐＨが約１１になったドレンＤは希釈される。
【００４９】
第２の中和部６ａ２内に流入したドレンＤは、第２の中和剤６２の表面に沿って下方に流れる。ドレンＤが第１の部分Ｐ１の他方端Ｅ２に達すると、第１の部分Ｐ１および第２の部分Ｐ２に第１の接続部Ｃ１をまたいでドレンＤが貯留される。ドレンＤが第２の中和部６ａ２に流入し続けることにより、ドレンＤの水位は第２の部分Ｐ２を上昇する。ドレンＤの水位が第２の接続部Ｃ２の下端を超えると、ドレンＤは第２の接続部Ｃ２から第３の部分Ｐ３を下方に流れる。ドレンＤが第３の部分Ｐ３の他方端Ｅ２に達すると、第３の部分Ｐ３にドレンが貯留される。ドレンＤの水位が第３の部分Ｐ３を上昇して流出部ＦＯまで到達すると、流出部ＦＯから中和されたドレンが排水される。
【００５０】
このようにして、ドレンＤは、仕切り部材６ｂの開口ＯＰから第２の中和剤６２の表面に沿って流出部ＦＯまで流れる。この際、第２の中和剤６２としての炭酸カルシウムとドレンとが接触して反応することによってドレンＤが中性化される。これにより、ドレンＤのｐＨ値が所定の範囲内に調整される。ｐＨ値が所定の範囲内とは、排出基準を満たすｐＨ値の範囲内であって、たとえばｐＨ値が約５．８以上８．６以下の範囲内である。なお、炭酸カルシウムの加水分解ｐＨは弱アルカリ性であるため、ドレンＤが第２の中和部６ａ２に滞留して炭酸カルシウムと反応しても、ドレンＤは強アルカリ性になることはない。
【００５１】
また、図５を参照して、第１の中和剤６１および第２の中和剤６２はドレンＤと反応することにより消耗する。第１の中和剤６１は仕切り部材６ｂ上に保持されているため、第１の中和剤６１は消耗しても仕切り部材６ｂよりも下方に移動することはない。このため、第１の中和剤６１は、ドレンＤに浸からない高さ位置に保持される。なお、第１の中和剤６１はドレンＤに浸からないため消耗量は少なく、第２の中和剤６２はドレンＤに浸かるため消耗量は多い。
【００５２】
第２の中和剤６２が消耗すると、第２の中和剤６２の消耗量に応じて第２の接続部Ｃ２より上方に収容された第２の中和剤６２が自重により下方に移動して消耗量が補填される。このようにして、ドレンＤと接触して反応する部分の第２の中和剤６２が確保される。これにより、第２の中和剤６２による中和処理が確保される。
【００５３】
以上のように、本実施の形態では、ドレンが大流量で流れ、一時的に第１の中和剤６１の直下のｐＨ値が小さくなったとしても、ドレンの流れが止まる時には最後にドレンが滴下する状態となり、大きなｐＨ値の液体で蓋をすることとなるので、好酸性の菌の繁殖を抑制することが可能となる。
【００５４】
次に、本実施の形態の作用効果について説明する。
本実施の形態の中和装置６によれば、仕切り部材６ｂ上に保持された第１の中和剤６１によってドレンがアルカリ化される。このアルカリ化されたドレンが仕切り部材６ｂの開口ＯＰを通って第２の中和剤６２に流れるため、第２の中和剤６２での好酸性の菌の繁殖が抑制される。また、第１の中和剤６１はドレンが内部空間ＩＳに貯留された状態においてドレンの液面の高さよりも上方の高さ位置に配置されている。したがって、第１の中和剤６１はドレンに浸漬されないため、第１の中和剤６１によりアルカリ化されたドレンの量が抑えられる。つまり、ドレンが過剰に中和されることを防止できる。このため、第２の中和剤６２によりドレンのｐＨ値を所定の範囲内に調整することができる。
【００５５】
また、第１の中和剤６１は常にドレンの液面より上方に配置されているため、第１の中和剤６１が短期間で溶解して消失することを防止できる。
【００５６】
また、第１の中和剤６１の表面に沿って流れ落ちたドレンが仕切り部材６ｂの開口ＯＰを通って第２の中和剤６２に流れ込むため、中和装置６の構造をシンプルにすることができる。
【００５７】
また、本実施の形態の中和装置６においては、第１の中和剤６１は、流入部ＦＩの直下に配置されている。このため、第１の中和剤６１により流入部ＦＩの直下においてドレンがアルカリ化される。したがって、流入部ＦＩの直下において好酸性の菌の繁殖が抑制される。流入部ＦＩから好酸性の菌が流入するため、流入部ＦＩの直下において好酸性の菌の繁殖を抑制することにより好酸性の菌が拡散することを抑制できる。これにより、好酸性の菌の繁殖を効果的に抑制することができる。
【００５８】
また、本実施の形態の中和装置６においては、第１の中和剤６１は、第２の接続部Ｃ２の下端よりも上方の高さ位置に配置されている。ドレンは第２の接続部Ｃ２の下端ＬＥまで貯留されるので、第１の中和剤６１はドレンに浸漬することはない。このため、第１の中和剤６１によりアルカリ化されたドレンの量を抑えることができる。
【００５９】
また、本体部６ａの第１の部分Ｐ１、第２の部分Ｐ２および第３の部分Ｐ３において第２の中和剤６２によりドレンが中和されるため、第２の中和剤６２がドレンを確実に中和することができる。
【００６０】
また、本実施の形態の中和装置６においては、第１の中和剤６１は酸化マグネシウムであり、第２の中和剤６２は炭酸カルシウムである。このため、酸化マグネシウムによりドレンをアルカリ化することができる。そして、炭酸カルシウムによりアルカリ化されたドレンのｐＨ値を所定の範囲内に調整することができる。
【００６１】
本実施の形態の潜熱回収式熱源機１０は、上記の中和装置６を備えている。したがって、好酸性の菌の繁殖を抑制しながらドレンの排水のｐＨ値を所定の範囲内に調整することができる中和装置６を備えた潜熱回収式熱源機１０を実現することができる。
【００６２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６３】
１  筐体、２  燃焼装置、３  送風装置、４  一次熱交換器、５  二次熱交換器、６  中和装置、６ａ  本体部、６ａ１  第１の中和部、６ａ２  第２の中和部、６ｂ  仕切り部材、７  水位検知部、８  コントローラ、９  給湯経路、９ａ  給水配管、９ｂ  給湯配管、１０  潜熱回収式熱源機、６１  第１の中和剤、６２  第２の中和剤、Ｃ１  第１の接続部、Ｃ２  第２の接続部、ＤＰ１  第１のドレン配管、ＤＰ２  第２のドレン配管、Ｅ１  一方端、Ｅ２  他方端、ＥＰ  排気口、ＦＩ  流入部、ＦＯ  流出部、ＩＳ  内部空間、ＩＷ  入水口、ＬＥ  下端、ＯＰ  開口、ＯＷ  出湯口、Ｐ１  第１の部分、Ｐ２  第２の部分、Ｐ３  第３の部分。
【図１】
2016203030.tif 000003
【図２】
2016203030.tif 000004
【図３】
2016203030.tif 000005
【図４】
2016203030.tif 000006
【図５】
2016203030.tif 000007